(57)【要約】      （修正有）【課題】表面の土を掘り起して草の根を容易に取り除くことができる草刈り機を提供する。【解決手段】草刈り機は、回転鋸１２と原動機とシャフト部を備え、１条または複数条の、回転鋸１２の直径方向に複数の細い棒状の金属突起２２が配列、固着される突起固着帯部２０が使用時に回転鋸１２の地面に対向して配置される側の面に着脱可能に取り付けられる。突起固着帯部２０を回転鋸１２から取り外した状態で草刈り機を使用して、地表に出た草の茎から上の部分を刈り取り、ついで、突起固着帯部２０を回転鋸１２に取りつけた状態で草刈り機を使用して、表面の土を掘り起こして草の根を取り除く。【選択図】図２
0003187601.tif 000002
【実用新案登録請求の範囲】
【請求項１】
回転鋸と、該回転鋸を駆動する原動機と、該回転鋸および該原動機が取り付けられ、操作部を有するシャフト部を備える草刈り機において、
使用時に該回転鋸の地面に対向して配置される側の面に、該回転鋸の直径方向に複数の細い棒状の金属突起が配列、固着された突起固着帯部が、１条または該回転鋸の周方向に複数条、該金属突起を地面に対向させて着脱可能に取り付けられてなることを特徴とする草刈り機。
【請求項２】
前記突起固着帯部が金属バンドの長尺方向中央に形成され、該金属バンドの該突起固着帯部を有しない両端部が該回転鋸の該突起固着帯部が設けられる側の面とは反対側の面に巻きつけられ着脱可能に締結されてなることを特徴とする請求項１記載の草刈り機。
【請求項３】
前記金属バンドが強磁性を有することを特徴とする請求項２記載の草刈り機。
【請求項４】
前記回転鋸に２以上の嵌合孔が形成され、前記突起固着帯部が強磁性を有する金属材料で形成されるとともに前記金属突起が配列、固着される側の面とは反対側の面に２以上の突起が形成され、該嵌合孔に該突起が着脱可能に嵌合されてなることを特徴とする請求項１記載の草刈り機。
【考案の詳細な説明】
【技術分野】
【０００１】
本考案は、草の根を土中から容易に取り除くことができる草刈り機に関するものである。
【背景技術】
【０００２】
草刈り機（刈払機ともいう。）を用いて、田畑や原野等に生える雑草を刈り取る作業が広く行われている。
【０００３】
草刈り機に装着される回転刃は、細紐状の刃体のもの等もあるが、円盤状の刃体をもつ回転鋸が主流である。これらの従来の草刈り機は、いずれも草の茎部分から刈り取るものであり、土中に残る草の根まで掘り起こして刈り取ることはできない。
【０００４】
このため、土中の根を放置すると、すぐに草が生えるため草刈り作業を頻繁に行うことが必要になる。一方、草刈り作業を頻繁に行うことを避けるために土中の根を鍬等で掘り起こして取り除く場合は、草刈り作業に多大な労力を要することになる。
【０００５】
このような不具合を解消するために、草の根を土中から刈り取り、あるいは土中から草の根を掘り起こして取り除くことができる草刈り機が提案されている。
【０００６】
例えば、草刈り機に装着される回転刃を、回転方向前縁に、前縁から後ろ縁に向かって傾斜した刃体を有する刃部に形成し、刃体を地中に進入させることで草の根を掘り起こす草刈り刃が提案されている（特許文献１参照）。
また、草刈り機に装着される回転刃の一部を下方に曲げて刈刃を形成し、刈刃の刃体を地中に進入させる草刈り用回転刃が提案されている（特許文献２参照）。
また、草刈り刃本体の外周部に刃を形成する折り曲げ部を間歇的に設け、折り曲げ部を地中に進入させる草刈り用刃が提案されている（特許文献３参照）。
【０００７】
しかし、これらの草刈り刃等を装着した草刈り機で草刈り作業を行う場合、一つの草刈り刃等で草の茎と根の両方を同時に刈ることになるため、草刈り刃等に、さらには原動機に多大な負荷がかかり、草の茎と根の両方を同時に刈ることが必ずしも容易な作業ではないことが考えられる。
【先行技術文献】
【特許文献】
【０００８】
【特許文献１】特開２００６−１７号公報
【特許文献２】特開２００９−２９７０１５号公報
【特許文献３】特開２００５−３４１８３７号公報
【考案の概要】
【考案が解決しようとする課題】
【０００９】
解決しようとする問題点は、草の根を地中から取り除くことを目的とした従来の草刈り機では、草刈り作業を必ずしも容易に行うことができない点である。
【課題を解決するための手段】
【００１０】
本考案に係る草刈り機は、回転鋸と、該回転鋸を駆動する原動機と、該回転鋸および該原動機が取り付けられ、操作部を有するシャフト部を備える草刈り機において、使用時に該回転鋸の地面に対向して配置される側の面に、該回転鋸の直径方向に複数の細い棒状の金属突起が配列、固着された突起固着帯部が１条または該回転鋸の周方向に複数条、該金属突起を地面に対向させて着脱可能に取り付けられてなることを特徴とする。
【００１１】
また、本考案に係る草刈り機は、好ましくは、前記突起固着帯部が金属バンドの長尺方向中央に形成され、該金属バンドの該突起固着帯部を有しない両端部が該回転鋸の該突起固着帯部が設けられる側の面とは反対側の面に巻きつけられ着脱可能に締結されてなることを特徴とする。
このとき、好ましくは、前記金属バンドが強磁性を有する。
【００１２】
また、本考案に係る草刈り機は、好ましくは、前記回転鋸に２以上の嵌合孔が形成され、前記突起固着帯部が強磁性を有する金属材料で形成されるとともに前記金属突起が配列、固着される側の面とは反対側の面に２以上の突起が形成され、該嵌合孔に該突起が着脱可能に嵌合されてなることを特徴とする。
【考案の効果】
【００１３】
本考案に係る草刈り機は、使用時に回転鋸の地面に対向して配置される側の面に、回転鋸の直径方向に複数の細い棒状の金属突起が配列、固着された突起固着帯部が１条または回転鋸の周方向に複数条、金属突起を地面に対向させて着脱可能に取り付けられるため、突起固着帯部を外した状態で草刈り機で草刈りして草を茎から刈り取った後で、突起固着帯部を取り付けた草刈り機で草を刈った後の地面上で草刈り機を使用することで、表面の土を掘り起して草の根を容易に取り除くことができる。
【図面の簡単な説明】
【００１４】
【図１】図１は突起固着帯部を取り外された状態の草刈り機の一例の斜視図である。
【図２】図２は突起固着帯部を取りつけた状態の草刈り機の一例の部分側面図である。
【図３Ａ】図３Ａは１条の突起固着帯部を取りつけた状態の草刈り機の一例について突起固着帯部の側から見た部分底面図である。
【図３Ｂ】図３Ｂは２条の突起固着帯部を取りつけた状態の草刈り機の一例について突起固着帯部の側から見た部分底面図である。
【図４】図４は本実施の形態の第一の例に係る突起固着帯部を取りつけた状態の草刈り機の部分側面図である。
【図５】図５は本実施の形態の第二の例に係る突起固着帯部を取りつけた状態の草刈り機の部分側面図である。
【考案を実施するための形態】
【００１５】
本考案に係る草刈り機の好適な実施の形態について、図を参照して以下に説明する。
【００１６】
まず、本実施の形態に係る突起固着帯部が着脱可能に取り付けられる草刈り機の一例について、突起固着帯部が取り外された状態のものを、図１を参照して説明する。
草刈り機１０は、回転鋸１２と、原動機１４とシャフト部１６を備える。原動機１４は、回転鋸１２を駆動し、回転させる。シャフト部１６に回転鋸１２および原動機１４が取り付けられる。また、シャフト部１６には人が把持して草刈り機を操作するための操作部１８を有する。
【００１７】
回転鋸１２は、図１に示す４枚刃に限らず適宜の形状のものを用途に応じて使い分けることができる。
原動機は、エンジンや電動機等適宜のものを用いることができる。
操作部１８には、図示しないレバーが設けられ、レバーを調節することで、回転鋸１２の回転数を変えることができる。
【００１８】
本実施の形態に係る草刈り機１０は、図２に概略構成を示すように、突起固着帯部２０が使用時に回転鋸１２の地面（ＧＬ）に対向して配置される側の面（図２中、矢印Ａで示す。）に着脱可能に取り付けられる。突起固着帯部２０には、回転鋸１２の直径方向に複数の細い棒状の金属突起２２が配列、固着される。突起固着帯部２０は、図３Ａに示すように１条設けられ、または図３Ｂに示すように無数の刃を持つ回転鋸１２ａの周方向に複数条（図３Ｂでは２条）設けられ、金属突起２２を地面に対向させて配置される。
突起固着帯部２０は、耐摩耗性と耐食性に優れる金属材料で形成することが好ましい。突起固着帯部２０の幅寸法は、金属突起２２を確実に固着できるものである限り特に限定するものではない。
金属突起２２も、耐摩耗性と耐食性に優れる金属材料で形成することが好ましい。金属突起２２の先端部は円筒の端部のような平坦な形状であってもよく、また、テーパ状であってもよい。金属突起２２の寸法は草の根の地中での深さを考慮して適宜決定することができ、例えば、太さを数ｍｍ程度、長さを５〜１０ｍｍ程度とすることができる。
金属突起２２を突起固着帯部２０に固着する手段は、特に限定するものではなく、例えば、溶接によってもよく、また、突起固着帯部２０に孔を形成し、この孔に金属突起２２をねじ止めし、あるいはボルト・ナット状に締結してもよい。
【００１９】
以下、草刈り機１０の突起固着帯部２０を回転鋸１２に着脱可能に取り付ける取り付け手段の具体例について、２例説明する。
【００２０】
本実施の形態の第一の例に係る草刈り機は、図４に示すように、突起固着帯部２０ａが金属バンド２４の長尺方向中央に形成される。金属バンド２４の突起固着帯部２０ａを有しない両端部２４−１、２４−２が回転鋸１２の突起固着帯部が設けられる側の面（矢印Ａで示す。）とは反対側の面（矢印Ｂで示す。）に巻きつけられ着脱可能に締結される。
金属バンド２４の両端を締結する手段は特に限定するものではなく、例えばスナップボタン方式であってもよく、あるいは、フック留め方式であってもよい。
このとき、金属バンド２４が強磁性を有すると、金属バンド２４をより確実に回転鋸１２に固定することができて好ましい。
【００２１】
本実施の形態の第二の例に係る草刈り機は、図５に示すように、突起固着帯部２０ｂが強磁性を有する金属材料で形成される。突起固着帯部２０ｂは、金属突起２２が設けられる側の面（矢印Ｃで示す。）とは反対側の面（矢印Ｄで示す。）に２以上の突起２６が設けられる。回転鋸１２ａに突起２６の数および位置に対応して２以上の嵌合孔２８が形成される。嵌合孔２８に突起２６が着脱可能に嵌合される。
【００２２】
以上説明した本実施の形態の第一の例および第二の例に係る草刈り機は、金属バンド２４の締結を解除して、金属バンド２４を回転鋸１２から取り外すことで、または、突起固着帯部２０ｂを回転鋸１２ａから取り外すことで、草刈り機を通常の状態で使用して、草を茎部分から刈り取ることができる。
ついで、金属バンド２４を回転鋸１２に固定することで、または、突起固着帯部２０ｂを回転鋸１２ａに取りつけて草刈り機を使用することで、表面の土を掘り起こして、地中に残る草の根を取り除くことができる。このとき、草の茎から上の部分は既に刈り取られているため、回転鋸や原動機に過剰な負荷がかかるおそれがなく、容易に草の根を取り除くことができる。
【符号の説明】
【００２３】
１０  草刈り機
１２、１２ａ  回転鋸
１４  原動機
１６  シャフト部
１８  操作部
２０、２０ａ、２０ｂ  突起固着帯部
２２  金属突起
２４  金属バンド
２６  突起
【図１】
0003187601.tif 000003
【図２】
0003187601.tif 000004
【図３Ａ】
0003187601.tif 000005
【図３Ｂ】
0003187601.tif 000006
【図４】
0003187601.tif 000007
【図５】
0003187601.tif 000008